(57)【要約】【課題】各々の患者に対して実際に検査等で使用された薬剤や器具の情報を入力するための入力操作を支援し、実施処理を簡単かつ正確に行うために役立つシステムを提供する。【解決手段】薬剤や医療材料が複数登録され、検査対象部位又は検査種別と予め関連付けられた状態で検査使用物品が管理されているデータベース２１ｂと、患者に施す検査に該当する検査対象部位又は検査種別の情報に基づき、使用する検査使用物品の候補を前記データベースを参照して抽出する使用物品抽出手段Ｓ１９と、前記使用物品抽出手段により抽出された検査使用物品の情報をリストとして一覧表示する表示手段Ｓ２１と、一覧表示された検査使用物品の候補の少なくとも一部を登録するための指示を入力する入力手段Ｓ２２とを設けた。【選択図】図６
2011076465.tif 000002
【特許請求の範囲】
【請求項１】
検査に使用される薬剤や医療材料を含む検査使用物品に関する情報を、患者の検査毎に生成される個別検査情報として入力する際の入力支援を行う医療情報入力支援システムであって、
前記検査使用物品の薬剤や医療材料が複数登録され、検査対象部位及び検査種別の少なくとも一方と予め関連付けられた状態で前記検査使用物品が管理されている検査使用物品データベースと、
患者に施す検査に対し、該当する検査対象部位及び検査種別の少なくとも一方の情報に基づき、使用する検査使用物品の候補を前記検査使用物品データベースを参照して抽出する使用物品抽出手段と、
前記使用物品抽出手段により抽出された検査使用物品の情報をリストとして一覧表示する表示手段と、
前記表示手段に一覧表示された検査使用物品の候補の少なくとも一部を前記個別検査情報として登録するための指示を入力する入力手段と、
を備えた医療情報入力支援システム。
【請求項２】
請求項１に記載の医療情報入力支援システムであって、
前記検査使用物品データベースは、登録内容に最新の情報を逐次追加するための登録情報更新手段を含み、
前記使用物品抽出手段は、使用する検査使用物品の候補を抽出する際に、前記患者に施す検査の条件に適合する検査使用物品を、前記検査使用物品データベース上で検索して抽出する医療情報入力支援システム。
【請求項３】
請求項１に記載の医療情報入力支援システムであって、
検査対象部位及び検査種別が特定された複数の検査内容のそれぞれについて、該当する検査で使用する前記検査使用物品の組み合わせが前記検査使用物品データベースに予め登録され、
前記使用物品抽出手段は、複数の検査内容の中で、指定された特定の検査内容に対応する前記検査使用物品の組み合わせを前記検査使用物品データベースから選択的に抽出する医療情報入力支援システム。
【請求項４】
請求項１乃至請求項３のいずれか１項に記載の医療情報入力支援システムであって、
前記検査使用物品データベースは、前記検査使用物品として、それぞれの検査において常時使用される検査使用物品である常時使用物品の情報と、それぞれの検査において使用の有無が択一的に決定される検査使用物品である選択使用物品の情報とをそれぞれ保持し、
前記表示手段は、前記選択使用物品と前記常時使用物品とを区別した状態で表示し、
前記入力手段は、前記選択使用物品の使用の有無を択一的に前記個別検査情報に登録するための選定機能を有する医療情報入力支援システム。
【請求項５】
請求項１乃至請求項４のいずれか１項に記載の医療情報入力支援システムであって、
前記検査使用物品データベースは、各検査の検査対象部位及び検査種別の少なくとも一方について、大分類及び前記大分類よりも細分化した小分類のそれぞれの分類に属する検査項目について前記検査使用物品を管理し、前記小分類として管理される小分類検査項目毎に前記検査使用物品の組み合わせを定めた詳細実施セット情報を有し、
前記表示手段は、前記大分類から前記小分類までの各検査項目を階層的に表示し、かつ、前記入力手段により指定された小分類の検査項目に対する検査使用物品をリスト表示する機能を有する医療情報入力支援システム。
【請求項６】
検査に使用される薬剤や医療材料を含む検査使用物品に関する情報を、患者の検査毎に生成される個別検査情報として入力する際の入力支援を行う医療情報入力支援方法であって、
前記検査使用物品の薬剤や医療材料が複数登録され、検査対象部位及び検査種別の少なくとも一方と予め関連付けられた状態で前記検査使用物品が管理されている検査使用物品データベースを利用し、
患者に施す検査に対し、該当する検査対象部位及び検査種別の少なくとも一方の情報に基づき、使用する検査使用物品の候補を前記検査使用物品データベースを参照して抽出し、
前記検査使用物品データベースから抽出された検査使用物品の情報をリストとして一覧表示し、
一覧表示された検査使用物品の候補の少なくとも一部を、入力された指示に従って、前記個別検査情報として登録する医療情報入力支援方法。
【請求項７】
検査に使用される薬剤や医療材料を含む検査使用物品に関する情報を、患者の検査毎に生成される個別検査情報として入力する際の入力支援を行う医療情報入力支援システムを制御するコンピュータが実行可能な医療情報入力支援プログラムであって、
前記検査使用物品の薬剤や医療材料が複数登録され、検査対象部位及び検査種別の少なくとも一方と予め関連付けられた状態で前記検査使用物品が管理されている検査使用物品データベースにアクセスするためのステップと、
患者に施す検査に対し、該当する検査対象部位及び検査種別の少なくとも一方の情報に基づき、使用する検査使用物品の候補を前記検査使用物品データベースを参照して抽出する使用物品抽出ステップと、
前記検査使用物品データベースから抽出された検査使用物品の情報をリストとして一覧表示する表示ステップと、
一覧表示された検査使用物品の候補の少なくとも一部を前記個別検査情報として登録するための指示を入力する入力ステップと、
を備える医療情報入力支援プログラム。
【発明の詳細な説明】
【技術分野】
【０００１】
本発明は、医療情報入力支援システムに関し、特に患者に施す処置内容に応じて予め定めた薬剤等を提供する場合の管理に必要なデータの入力作業を支援するために利用可能な医療情報入力支援システムに関する。
【背景技術】
【０００２】
例えば、病院等において内視鏡検査を行う場合、一般的に上部消化管（食道や胃）、下部消化管（大腸や直腸）、気管支などの検査部位の違いなどに対応して、麻酔薬等の特定の薬剤を患者に投与し、その後で内視鏡検査を行うことになる。内視鏡の手技の内容に応じて、医師はおおよそパターン化された作業を行っている。病院内の管理システムについては、一般的に患者毎に個別に入力された検査オーダーと呼ばれる情報に基づき、コンピュータを利用して管理される。即ち、この検査オーダーの情報に対して実際の検査をはじめ、会計までの病院内での処理がなされる。内視鏡検査を実施する際には、その検査内容をレポートとして記録する必要があり、医師の作業と並行して技師や医師がレポートを作成する。なお、検査によっては、組織を採取して病理検査することもあり、その場合は、内視鏡検査部門から病理部門に病理検査を依頼することになる。従って、例えば内視鏡検査を行う患者の場合には、検査に使用される薬剤や医療材料を含む検査使用物品に関する情報を、患者の検査毎に生成される個別検査情報として入力し、正しい検査オーダーの情報を生成しなければならない。
【０００３】
病院内で利用される管理システムの従来技術としては、例えば特許文献１〜特許文献５の技術が知られている。
特許文献１は、診断した傷病に応じて処方可能な薬剤を検索する処方支援機能を有する電子カルテ装置を開示している。具体的には、診断病名に基づいて処方可能な薬剤を抽出することを提案している。特許文献２は、入力された薬剤名に対して、これと規格違いの薬剤や、類似名称の薬剤を表示するための技術を開示している。即ち。正しい薬剤の選定のために利用される。特許文献３は、医師が発行した処方箋に記載された医薬品の配合禁忌、併用禁忌、被検者禁忌を判定して表示するための技術を開示している。特許文献４は、受付た処方箋の薬剤を、患者情報データ部と、安全性情報DB部の情報から、重篤、緊急度の高い順に区別して表示するための技術を開示している。特許文献５は、処方箋情報から医薬品情報を読み出して、在庫医薬品から最も有効期限の近い医薬品を選択して提供するための技術を開示している。
【０００４】
病院等においては、例えば各々の患者に対して実際に検査等で使用された薬剤や器具（消耗品）などに応じて、該当する患者への請求金額を決定する処理を行う必要があるが、上記のいずれの技術においても依然としてデータ入力が煩雑であった。即ち、実際に使用された薬剤等のそれぞれのデータを管理システムの端末に対して正しく入力（実施処理）しなければならならず、使用した個々の薬剤の情報を入力者が１つずつデータ入力する実施処理は煩雑にならざるを得ない。しかも、薬剤等の計上漏れが生じたり、間違った薬剤の情報を誤ってデータ入力する可能性もある。
【先行技術文献】
【特許文献】
【０００５】
【特許文献１】特開２００８−２１７２９１号公報
【特許文献２】特開２００９−６９９４４号公報
【特許文献３】特開２００７−３７８２３号公報
【特許文献４】特開２００２−１９７１１８８号公報
【特許文献５】特開２００４−２８７８３３号公報
【発明の概要】
【発明が解決しようとする課題】
【０００６】
本発明は、各々の患者に対して実際に検査等で使用された薬剤や器具の情報を入力するための入力操作を支援し、実施処理を簡単かつ正確に行うために役立つ医療情報入力支援システム及び医療情報入力支援方法並びに医療情報入力支援プログラムを提供することを目的とする。
【課題を解決するための手段】
【０００７】
本発明は、下記構成からなる。
（１）  検査に使用される薬剤や医療材料を含む検査使用物品に関する情報を、患者の検査毎に生成される個別検査情報として入力する際の入力支援を行う医療情報入力支援システムであって、
前記検査使用物品の薬剤や医療材料が複数登録され、検査対象部位及び検査種別の少なくとも一方と予め関連付けられた状態で前記検査使用物品が管理されている検査使用物品データベースと、
患者に施す検査に対し、該当する検査対象部位及び検査種別の少なくとも一方の情報に基づき、使用する検査使用物品の候補を前記検査使用物品データベースを参照して抽出する使用物品抽出手段と、
前記使用物品抽出手段により抽出された検査使用物品の情報をリストとして一覧表示する表示手段と、
前記表示手段に一覧表示された検査使用物品の候補の少なくとも一部を前記個別検査情報として登録するための指示を入力する入力手段と、
を備えた医療情報入力支援システム。
【０００８】
（２）  検査に使用される薬剤や医療材料を含む検査使用物品に関する情報を、患者の検査毎に生成される個別検査情報として入力する際の入力支援を行う医療情報入力支援方法であって、
前記検査使用物品の薬剤や医療材料が複数登録され、検査対象部位及び検査種別の少なくとも一方と予め関連付けられた状態で前記検査使用物品が管理されている検査使用物品データベースを利用し、
患者に施す検査に対し、該当する検査対象部位及び検査種別の少なくとも一方の情報に基づき、使用する検査使用物品の候補を前記検査使用物品データベースを参照して抽出し、
前記検査使用物品データベースから抽出された検査使用物品の情報をリストとして一覧表示し、
一覧表示された検査使用物品の候補の少なくとも一部を、入力された指示に従って、前記個別検査情報として登録する医療情報入力支援方法。
【０００９】
（３）  検査に使用される薬剤や医療材料を含む検査使用物品に関する情報を、患者の検査毎に生成される個別検査情報として入力する際の入力支援を行う医療情報入力支援システムを制御するコンピュータが実行可能な医療情報入力支援プログラムであって、
前記検査使用物品の薬剤や医療材料が複数登録され、検査対象部位及び検査種別の少なくとも一方と予め関連付けられた状態で前記検査使用物品が管理されている検査使用物品データベースにアクセスするためのステップと、
患者に施す検査に対し、該当する検査対象部位及び検査種別の少なくとも一方の情報に基づき、使用する検査使用物品の候補を前記検査使用物品データベースを参照して抽出する使用物品抽出ステップと、
前記検査使用物品データベースから抽出された検査使用物品の情報をリストとして一覧表示する表示ステップと、
一覧表示された検査使用物品の候補の少なくとも一部を前記個別検査情報として登録するための指示を入力する入力ステップと、
を備える医療情報入力支援プログラム。
【発明の効果】
【００１０】
本発明の医療情報入力支援システム、医療情報入力支援方法、又は医療情報入力支援プログラムを利用することにより、患者が使用した薬剤や消耗品等に関する情報を、簡単かつ正確にデータ入力できる。
【図面の簡単な説明】
【００１１】
【図１】病院内システム全体構成を示すブロック図である。
【図２】図１に示すシステムにおける内視鏡部門システムの概略構成を示すブロック図である。
【図３】図２に示した内視鏡部門システムの一部分の詳細な構成を示すブロック図である。
【図４】病院内における患者の処理の流れとシステムの処理状態の遷移を表すフローチャートである。
【図５】内視鏡部門システムにデータ入力する場合の画面表示の具体例を示す説明図である。
【図６】入力支援のためにクライアントＰＣの制御部が実行するプログラムの主要な機能に関する処理手順を示すフローチャートである。
【図７】クライアントPCにインストールされたプログラムにより提供される主な機能及び機能間の状態遷移を表す模式図である。
【図８】ログイン機能実行時の画面表示の一例を示す説明図である。
【図９】オーダ検索機能実行時の画面表示の一例を示す説明図である。
【図１０】オーダ検索機能実行時の画面表示の一例を示す説明図である。
【図１１】問診前処置機能実行時の画面表示の一例を示す説明図である。
【図１２】問診前処置機能実行時の画面表示の一例を示す説明図である。
【図１３】画像表示機能実行時の画面表示の一例を示す説明図である。
【図１４】画像表示機能実行時の画面表示の一例を示す説明図である。
【図１５】レポート登録機能実行時の画面表示の一例を示す説明図である。
【図１６】病理依頼機能実行時の画面表示の一例を示す説明図である。
【図１７】実施報告機能実行時の画面表示の一例を示す説明図である。
【図１８】ログアウト機能実行時の画面表示の一例を示す説明図である。
【発明を実施するための形態】
【００１２】
以下、本発明の実施形態について、図面を参照して詳細に説明する。
図１に病院内システムの全体構成を示した。このシステムは病院情報システム（ＨＩＳ：Hospital Information System）１０と、内視鏡部門システム２０と、病理部門システム３０と、医用画像保管システム（ＰＡＣＳ：Picture Archiving and Communication System）４０と、他部門システム５０とを備え、これらは院内ＬＡＮ６０に接続されて相互に連携可能になっている。
【００１３】
ＨＩＳ１０は、医療事務会計システム、診療予約システム、診療情報システム等を含む包括的なシステムであり、電子カルテデータベース等を有する。電子カルテデータベースには、患者の診療情報を記録した電子カルテが保管される。
【００１４】
内視鏡部門システム２０は、内視鏡部門の管理を行うためのシステムである。病理部門システム３０は、病理部門の管理を行うためのシステムである。ＰＡＣＳ４０は、内視鏡装置、ＣＴ、ＭＲＩ等の医療画像診断装置からの検査画像を電子的に保存、検索、解析するシステムである。他部門システム５０は、その他の部門の管理を行うためのシステムである。
【００１５】
図１に示すシステムにおける内視鏡部門システムの概略構成を図２に示した。内視鏡部門には、受付２０Ａと、前処置室２０Ｂと、複数の内視鏡検査室（以下、検査室）２０Ｃと、洗浄室２０Ｄと、カンファレンス室２０Ｅとが含まれている。
【００１６】
前処置室２０Ｂは、内視鏡検査の前に行う問診及び前処置を行うための部屋である。検査室２０Ｃは、内視鏡検査を行うための部屋である。洗浄室２０Ｄは、内視鏡検査に用いたスコープ等の洗浄を行うための部屋である。
【００１７】
図２に示す内視鏡部門システム２０は、内視鏡部門サーバ２１と、複数のクライアントＰＣ２２と、画像入力装置２３と、内視鏡装置２４と、洗浄管理装置２５と、洗浄機２６とを備える。内視鏡部門サーバ２１、複数のクライアントＰＣ２２、画像入力装置２３、及び洗浄管理装置２５は部門内ＬＡＮ２７に接続されている。部門内ＬＡＮ２７は院内ＬＡＮ６０に接続されている。
【００１８】
クライアントＰＣ２２は、受付２０Ａ、前処置室２０Ｂ、内視鏡検査室２０Ｃ、及びカンファレンス室２０Ｅの各々に設置されたコンピュータである。図３に示すように、内視鏡部門システムの各クライアントＰＣ２２は、入力部２２ａ、表示部２２ｂ、記録部２２ｃ、通信部２２ｄ、及び制御部２２ｅで構成されている。
【００１９】
入力部２２ａは、各種入力を行うための、キーボード及びタッチパネル等の入力デバイス、マウス・トラックボール等のポインティングデバイスから構成されている。表示部２２ｂは、画像、レポート等の各種表示を行うための表示装置であり、ＬＣＤやＣＲＴなどで構成されている。
【００２０】
記録部２２ｃは、各種データを記録するためのハードディスク等で構成されている。  通信部２２ｄは、送受信インターフェイス回路などから構成され、各種指示、各種要求、及び各種データを、部門内ＬＡＮ２７を介して送受信する処理を実行する。
【００２１】
制御部２２ｅは、ＣＰＵ（Cｅｎｔｒａｌ Pｒｏｃｅｓｓｉｎｇ Uｎｉｔ）等の演算制御装置と、プログラムを格納するＲＯＭ（Rｅａｄ−Oｎｌｙ Mｅｍｏｒｙ）等のプログラム格納部と、記憶媒体とを含む（全て不図示）。プログラム格納部に格納されるプログラムには、検体を管理するための検体管理プログラムが含まれる。記憶媒体は、上記プログラムを実行するときのワークエリアを構成するシステムメモリ及びＲＡＭ（Rａｎｄｏｍ Ａｃｃｅｓｓ Ｍｅｍｏｒｙ）等で構成される。
【００２２】
制御部２２ｅは、上記プログラム、部門内ＬＡＮ２７を介し外部から送信される各種の要求、及び入力部２２ａから入力される指示情報などに従ってクライアントＰＣ２２の各部の制御を行う。
【００２３】
また、図３に示すように内視鏡部門サーバ２１は、データベース（以下、省略してＤＢと記載）として、医薬品ＤＢ２１ａと、手技・実施セットＤＢ２１ｂと、検査依頼情報ＤＢと２１ｃとを備えている。
【００２４】
医薬品ＤＢ２１ａは、使用される可能性のある様々な薬剤のそれぞれについて、名称、効能の種類（麻酔剤、鎮痙剤、鎮静剤などの区分）、適用器官の区分（喉、胃、十二指腸などの区分）、代替え可能な薬剤、使用できない病気と副作用などの各項目に関する情報を予め保持しており、新たに利用可能になった薬剤などのデータの追加により、登録されているデータは逐次更新される。
【００２５】
手技・実施セットＤＢ２１ｂは、手技・実施セットのそれぞれに対応して予め定めた医薬品の一覧やその他の消耗品などの物品の一覧に関する情報を保持している。例えば、１つの手技・実施セットである「上部消化管の内視鏡検査セット」については、薬剤の一覧として薬剤Ａ、薬剤Ｂ、薬剤Ｃ、薬剤Ｄの情報を保持すると共に、薬剤以外の物品の一覧として、材料Ａ、材料Ｂ、材料Ｃ、材料Ｄ、材料Ｅの情報を保持している。また、各検査のオプションとして使用する可能性のある薬剤や材料についても、それぞれの手技（例えば食道狭窄拡張など）に対応付けて予め登録してある。
【００２６】
材料Ａ〜材料Ｅの具体例としては、留置針、サーフロー針、内視鏡用粘膜下注入材、注射針、内視鏡用オーバーチューブ、カテーテル、短期的使用胃食道用滅菌済みチューブなどが想定される。同様に、手技・実施セットである「下部消化管の内視鏡検査セット」や「気管支の内視鏡検査セット」のそれぞれについても、予め定めた薬剤の一覧、並びに薬剤以外の物品の一覧の情報が登録されている。
【００２７】
検査依頼情報ＤＢ２１ｃは、検査依頼情報を保持している。検査依頼情報とは、他の診療科から内視鏡部門に対して検査依頼が行われる場合の検査の依頼（オーダー）に関する情報である。オーダーキー情報（「オーダー番号」、「発生日時」等）、依頼元情報（ 「依頼科名」、「依頼医師名」、「依頼日」等）、オーダー情報（「依頼病名」、「検査目的」、「検査種別」、「検査項目」、「検査部位」、「コメント」、「シェーマ画像」等）、検査予約情報（「検査日」、「実施時刻」等）、等からなり、これらは、管理システムとして機能するＨＩＳ１０から、部門システムに対して送信される。オーダーキー情報は、１つの検査オーダーを一意に特定するための情報である。
【００２８】
また、図３に示すように内視鏡部門システム２０のクライアントＰＣ２２及び内視鏡部門サーバ２１は、部門内ＬＡＮ２７及び院内ＬＡＮ６０を経由して、ＨＩＳ１０に含まれる会計サーバ１１と接続されている。
【００２９】
再び図２に戻り説明する。図２に示すように画像入力装置２３及び内視鏡装置２４は、複数の検査室２０Ｃの各々に設置されている。
画像入力装置２３は、それが設置される検査室２０Ｃの内視鏡装置２４に接続されている。画像入力装置２３は、接続された内視鏡装置２４で撮影して得られた画像データを内視鏡部門サーバ２１に入力するための装置である。画像入力装置２４によって入力された画像データは、内視鏡部門サーバ２１の制御により、ＰＡＣＳ４０によって保管される。なお、内視鏡装置２４として、画像入力装置２３を一体化したものを用いても良い。
【００３０】
洗浄機２６と洗浄管理装置２５は洗浄室２０Ｄに設置されている。洗浄機２６は、内視鏡検査に用いたスコープ等の洗浄を行う機器である。洗浄管理装置２５は、洗浄機２６に接続されており、洗浄機２６による洗浄履歴等の情報を内視鏡部門サーバ２１に登録するためのコンピュータである。
【００３１】
内視鏡部門サーバ２１は、クライアントＰＣ２２、画像入力装置２３、及び洗浄管理装置２５を統括制御するコンピュータである。内視鏡部門サーバ２１には、データベースＤＢが内蔵されており、このデータベースＤＢに各種情報（オーダー情報、レポート情報等）が格納されている。
【００３２】
クライアントＰＣ２２には、検体管理プログラムの他、所定のアプリケーションプログラムがインストールされており、このプログラムにより、各データベース（２１ａ，２１ｂ，２１ｃ）に記録されているデータの参照及び編集、データベースへのデータの登録等が可能となっている。
【００３３】
ここで、病院内における患者自身の処理の流れと、内視鏡部門システムで病院スタッフが操作する各端末（クライアントＰＣ）の処理や画面表示種類の状態遷移を図４に示した。患者が病院に来て、受付を行う際、新規、再診（予約有り／無し）に応じて、患者情報が病院情報システムに登録される。そして、登録した情報は、受診を行う診療科の部門システムにオーダ情報と共に送られる。ここでは、内視鏡部門に検査オーダを発生したことを想定する。従って、このオーダ情報は図３に示した検査依頼情報ＤＢ２１ｃにも登録される。
【００３４】
受付を済ませた患者が内視鏡検査を行う診療科に来て、受付で受領したカルテや診療科受付票などを受付２０A（図２）に渡すと、受付２０Aでは、その患者の検査オーダを内視鏡部門システム２０に問い合わせる。そして、患者の検査オーダを特定して、この検査オーダに対して診療・検査が行われる。
【００３５】
内視鏡検査では、検査により得られる画像が内視鏡装置２４のモニタ画面や、クライアントＰＣ２２の表示部２２ｂにより表示される。そして、検査後に技師や医師がレポートを記入、あるいはレポートの一部を記入して、更に、必要に応じて病理依頼を行い、この検査に対する実施報告を行う。
【００３６】
この実施報告においては、実際に検査で使用した薬剤やその他の物品を特定する情報を手作業で入力することになる。この情報がないと、例えば会計処理で正しい請求金額を算出できない。しかし、薬剤等の情報の入力にあたり、使用薬剤を逐一入力していると、間違いや入力漏れが生じやすく、手間が掛かり、煩わしい。
【００３７】
そこで本実施形態のシステムにおいては、実際に検査で使用した薬剤やその他の物品の情報を入力するための操作を容易にし、入力間違いや入力漏れの発生を防止するために、入力操作を支援する機能を搭載している。
【００３８】
即ち、検査の内容に応じて予め定められた薬剤等が使用されることに着眼しており、前述のように、予め検査種や検査部位に対応付けて使用する薬剤やその他の物品の候補の一覧が、図３に示す手技・実施セットＤＢ２１ｂに登録してある。従って、クライアントＰＣ２２を操作する入力者が、表示される画面を見ながら検査の部位や検査内容を指定するための入力操作を行うだけで、使用された複数の薬剤等の一覧を手技・実施セットＤＢ２１ｂから抽出し、これらの情報を画面上に表示することができる。そして、一覧表示された薬剤等を入力者の操作により一括して登録（入力）したり、表示された複数の候補の中から実際に投与した特定の薬剤だけを入力者が個別に選択的に登録することも可能である。
【００３９】
クライアントＰＣ２２の画面表示に関する具体例を図５に示した。図５に示す「実施セット選択」ウインドウＷ１１においては、最初に複数の検査部位の候補の中から特定の検査部位を選択することができる。具体的には、「上部消化管（食道、胃）」、「下部消化管（直腸、大腸）」、「気管支」等の候補の中から１つの検査部位を選択できる。
【００４０】
例えば上部消化管の検査を行う際に、図５に示すように、実施セット選択の画面で入力者が「上部消化管」と入力、又は「上部消化管（食道、胃）」、「下部消化管（直腸、大腸）」、「気管支」等の候補の中から「上部消化管」を選択すると、上部消化管に関係する検査内容、又は検査セットの一覧が一覧表示部Ｗ１１ａに表示される。
【００４１】
ここで、表示されている候補の中から例えば「上部内視鏡検査セット」を指定（選択）すると、この「上部内視鏡検査セット」に対応する薬剤（薬剤Ａ，Ｂ，Ｃ，Ｄ）と、材料（材料Ａ，Ｂ，Ｃ，Ｄ，Ｅ）がプログラムの処理によって自動的に手技・実施セットＤＢ２１ｂから抽出され、画面上のウインドウＷ１２に図５に示すように一覧表示される。
【００４２】
例えば、上部内視鏡検査として実施される胃の検査では、喉の麻酔剤（キシロカイン）、鎮痙剤（胃の動きをとめ、唾液分泌を抑制する薬）、鎮静剤（静脈麻酔剤）が一般的に使用されるので、これらの薬剤の一覧と「上部内視鏡検査セット」とが対応付けられて画面に一覧表示される。
【００４３】
なお、自動的に、もしくは必要に応じて所定の入力操作を行うことにより、指定された条件（この場合は「上部内視鏡検査セット」）に該当する薬剤やその他の材料の最新の情報について医薬品ＤＢ２１ａの検索を実施する。従って、予め手技・実施セットＤＢ２１ｂ上で対応付けられている薬剤や材料だけでなく、最新の情報として医薬品ＤＢ２１ａに登録されている薬剤やその他の材料についても、実際に使用した薬剤等の候補として画面に一覧表示し、入力対象として指定することができる。
【００４４】
画面に表示されているこれらの薬剤及び材料を選定した状態で画面上の「追加」ボタンを入力者がクリックすると、選定された全ての薬剤及び材料を特定する情報が、この検査オーダに対して実際に使用された薬剤及び材料として登録される。また、図５に示すように画面上にリストとして一覧表示された薬剤、材料にはそれぞれチェックボックスが表示されており、初期状態では全てが選定された状態になっている。しかし、各々のチェックボックスを入力者がクリックすることにより、医師が意図的に使用しなかった特定の薬剤や材料を任意に指定から外す（登録から除外する）こともできる。
【００４５】
また、上記のように検査に必要な薬剤、材料を表示する以外にも、検査のオプションとして使用する可能性のある薬剤、材料を全てリストアップして一旦表示させ、チェックボックスに任意にチェックすることで、入力操作を簡単化できる。例えば、検査のオプションとして実施される可能性のある手技である「食道狭窄拡張」と関連付けられた薬剤及びその他の物品の一覧が手技・実施セットＤＢ２１ｂに登録してあるので、図５に示す一覧表示部Ｗ１１ａに表示されている１項目の「食道狭窄拡張」を入力者がクリックすると、「食道狭窄拡張」と関連付けられた薬剤及びその他の物品の一覧が手技・実施セットＤＢ２１ｂから自動的に抽出され、これらの情報がウインドウＷ１２に一覧表示される。従って、「上部内視鏡検査セット」の基本的な検査で使用する薬剤及び材料の他に、「食道狭窄拡張」のようなオプション検査項目についても、薬剤及び材料に関する入力操作を簡略化することができる。
【００４６】
つまり、「上部内視鏡検査セット」のように、「上部内視鏡検査」において常時使用される検査使用物品の一覧と、「食道狭窄拡張」のように、「上部内視鏡検査」において使用の有無が択一的に決定される選択使用物品の一覧とを独立して手技・実施セットＤＢ２１ｂで管理すると共に、互いに区別して表示している。また、少なくとも選択使用物品については使用の有無をチェックボックス等を利用して択一的に個別検査情報として登録できる。従って、種々の状況下で生じるオプション的な検査に対しても、検査使用物品を簡単に登録することができる。
【００４７】
いずれにしても、検査オーダに対して特定される検査部位の区分（上部消化管、下部消化管、気管支）及び検査種別（内視鏡検査セット）に応じて、予めそれに対応付けられている薬剤や材料の候補が一覧表示され、入力者はこれらの物品を一括、又は選択的に個別検査情報として簡単な入力操作で登録できるので、検査に応じた検査使用物品を漏れなく、しかも簡単に登録できる。また、予め登録しておいた検査使用物品の組合せの中から選択することで、簡単に検査使用物品を抽出できる。
【００４８】
入力者が上述のような「実施報告」の使用した薬剤や材料の情報を入力する際に、入力の支援のためにクライアントＰＣ２２の制御部２２ｅが実行するプログラムの主要な機能に関する処理手順を図６に示した。図６に示す処理手順について以下に説明する。
【００４９】
ステップＳ１１では、制御部２２ｅの制御により図５に示すような「実施セット選択」ウインドウＷ１１を表示する。
【００５０】
ステップＳ１２〜Ｓ１４では、ステップＳ１１で表示された「実施セット選択」ウインドウＷ１１の中の「検査伝票」の入力欄に対する入力者の指定内容を制御部２２ｅが識別する。即ち、入力者が「検査伝票」の入力欄に、検査部位として「上部消化管」を指定した場合にはステップＳ１２からＳ１５に進み、検査部位として「下部消化管」を指定した場合にはステップＳ１３からＳ１６に進み、検査部位として「気管支」を指定した場合にはステップＳ１４からＳ１７に進む。
【００５１】
ステップＳ１５では、入力者によって指定された検査部位が「上部消化管」のグループに属する選択候補の一覧を「実施セット選択」ウインドウＷ１１の中に表示する。具体的には、図５に示すように「上部内視鏡検査セット」と、「食道狭窄拡張」などのオプション的に実施される手技の候補の一覧が一覧表示部Ｗ１１ａに表示される。
【００５２】
ステップＳ１６では、ステップ１５と同様に、入力者によって指定された検査部位が「下部消化管」のグループに属する選択候補の一覧を「実施セット選択」ウインドウＷ１１の中に表示する。即ち、「下部内視鏡検査セット」を含む情報（図示せず）が一覧表示部Ｗ１１ａに一覧表示される。
【００５３】
ステップＳ１７では、ステップ１５と同様に、入力者によって指定された検査部位が「気管支」のグループに属する選択候補の一覧を「実施セット選択」ウインドウＷ１１の中に表示する。即ち、「気管支内視鏡検査セット」を含む情報（図示せず）が一覧表示部Ｗ１１ａに一覧表示される。
【００５４】
ステップＳ１８では、一覧表示部Ｗ１１ａに一覧表示された候補に対する入力者の入力操作（選択状態）を制御部２２ｅが識別する。
ステップＳ１９では、ステップＳ１９における識別結果に応じて、即ち入力者の入力操作に応じて、指定された検査セット又は手技に対応付けられている薬剤の一覧や材料の一覧を入力候補として手技・実施セットＤＢ２１ｂから抽出する。例えば、図５に示すように、一覧表示部Ｗ１１ａに一覧表示された候補の中から「上部内視鏡検査セット」が指定された場合には、これに予め対応付けられている情報、即ち図５のウインドウＷ１２に一覧表示されている情報（薬剤Ａ，Ｂ，Ｃ，Ｄ、材料Ａ，Ｂ，Ｃ，Ｄ，Ｅ）が抽出される。
【００５５】
ステップＳ２０では、制御部２２ｅは、医薬品ＤＢにアクセスし、ステップＳ１９で手技・実施セットＤＢ２１ｂから抽出した薬剤や材料以外に、該当する条件で使用可能な新規な薬剤等が存在するかどうかを検索により調べ、見つかった場合にはそれを入力候補として追加する。
【００５６】
ステップＳ２１では、制御部２２ｅは、ステップＳ１９で抽出された薬剤の一覧や材料の一覧を入力候補として図５のウインドウＷ１２に一覧表示する。また、ステップＳ２０で検索された薬剤等についても追加の入力候補としてウインドウＷ１２に一覧表示する。
【００５７】
ステップＳ２２では、図５に示された「追加」ボタンがクリックされたことを検出した場合に、制御部２２ｅは、選択状態の全ての薬剤及び材料の全てを特定する情報を個別検査情報として登録する。なお、チェックボックスがチェック状態でない（選択状態でない）薬剤等については登録対象から除外する。
【００５８】
入力者が薬剤、材料の情報の入力を完了して、実施報告の画面を閉じると、実施報告の情報が内視鏡部門システム２０から、病院情報システム（ＨＩＳ）１０の会計サーバ１１に転送される。会計サーバ１１は、受信した実施報告の情報の内容、即ち実際に使用された薬剤や材料のそれぞれを特定する情報に基づいて実施された検査の料金を算出し、会計処理を行う。
【００５９】
なお、図５、図６に示した具体例においては、特定の検査実施セットを選択するための検査部位の種類として、「下部消化管」、「上部消化管」、「気管支」の３つの選択肢に分類して管理しているが、これ以外の分類方法も考えられる。例えば、検査部位を大分類と小分類とに区分してツリー状に管理する場合には、次のような管理方法が考えられる。
【００６０】
即ち、「下部消化管」、「上部消化管」、「気管支」を「大分類」の検査部位として管理し、「下部消化管」の下の「小分類」として「直腸」、「大腸」、「小腸」の検査部位を管理し、「上部消化管」の下の「小分類」として「食道」、「胃」、「十二指腸」の検査部位を管理する。そして、各小分類毎に検査部位と薬剤等の検査使用物品とを対応付けて「詳細実施セット」としてデータベースで管理しておく。従って、図５に示す「上部内視鏡検査セット」のような選択肢だけでなく、「食道内視鏡検査セット」や「十二指腸内視鏡検査セット」（図示せず）のような新たな選択肢も設けることができる。これにより登録作業（情報の入力）を更に簡単化できる。なお、入力者の検査部位に関する選択肢については、ツリー上の「大分類」に対する選択と、「小分類」に対する選択とのいずれも可能であるのが望ましい。
【００６１】
次に、内視鏡部門システムのクライアントPCにインストールされたプログラムの実行により提供される主な機能及び画面表示の具体例について説明する。クライアントPCにインストールされたプログラムにより提供される主な機能及び各機能間の状態遷移の様子を図７に示した。
【００６２】
図７に示すように、このプログラムによって、ログイン機能、ログアウト機能、オーダ検索機能、問診前処置機能、画像表示機能、レポート登録機能、病理依頼機能、実施報告機能が提供される。以下に各機能について説明する。
【００６３】
まず、ログイン機能実行時の画面表示の一例を図８に示した。図８に示すログイン画面は、プログラム起動直後に表示される。このログイン画面には、ユーザＩＤ入力欄１０１、及びパスワード入力欄１０２が表示される。ユーザＩＤ入力欄１０１、及びパスワード入力欄１０２に、それぞれ所定のユーザＩＤ、パスワードを入力されてログインボタン１０３がクリックされると、内視鏡部門サーバ２１が、入力されたユーザＩＤとパスワードとを照合し、ユーザ承認を行う。内視鏡部門サーバ２１による承認がなされると、ログインが完了する。
【００６４】
次に、オーダ検索機能実行時の画面表示の一例を図９、図１０に示した。図９に示すオーダ検索画面は、ログイン完了後に表示される。このオーダ検索画面は、画面上部のランチャーバー２０１、画面中央部の検索条件設定領域３０１、及び画面下部の検索結果表示領域３０２で大略構成されている。
【００６５】
ランチャーバー２０１には、検査一覧アイコン２０２ａ、問診前処置アイコン２０２ｂ、画像表示アイコン２０２ｃ、レポートアイコン２０２ｄ、病理依頼アイコン２０２ｅ、実施報告アイコン２０２ｆが表示されている。アイコン２０２ａ〜２０２ｆは、プログラムが提供する種々の機能を起動するものであって、アイコン毎に所定の機能が割り当てられている。具体的には、検査一覧アイコン２０２ａにはオーダ検索機能が、問診前処置アイコン２０１ｂには問診前処置機能が、画像表示アイコン２０２ｃには画像表示機能が、レポートアイコン２０２ｄにはレポート登録機能が、病理依頼アイコン２０２ｅには病理依頼機能が、また、実施報告アイコン２０２ｆには実施報告機能がそれぞれ割り当てられている。各アイコンがクリックされると、それに割り当てられた機能に応じた画面に遷移する。このランチャーバー２０１は、遷移先の各機能画面においても、常に画面の上部領域に表示されるようになっている。
【００６６】
検索条件設定領域３０１には、データベースＤＢに記録されている検査依頼情報を検索するための各種の検索条件を入力するフォームが表示される。検索条件として、例えば、検査日付、時間帯、患者ＩＤ、患者氏名、等が設定される。
【００６７】
検索結果表示領域３０２には、データベースＤＢに記録されている検査依頼情報のうち検索条件設定領域３０１において設定された検索条件に該当する検査依頼情報の一覧が表示される。検索結果表示領域３０２において、そこに表示されている１つの検査依頼情報が選択されると、以後、その検査依頼情報の検査に付随する受付、問診前処置、画像表示、レポート登録、病理依頼、実施報告といった各種業務に関する情報の照会及び編集、並びに登録が可能となる。
【００６８】
例えば、検査のため患者が来院した際には、受付２０Ａ（図２参照）において、患者氏名等の患者情報や日付などから検査依頼情報が検索され、検索条件に該当するものとして一覧に表示される検査依頼情報のなかから１の検査依頼情報が選択される。その状態で、予約ボタン３０２ａがクリックされると、図１０に示すように、その検査依頼情報の詳細が表示される。患者情報や日付などと検査依頼情報の詳細との照合がなされ、選択されている検査依頼情報が所望の検査依頼情報であることが確認された後、受付ボタン３０３がクリックされ、受付がなされる。その情報は、クライアントＰＣ２２から内視鏡部門サーバ２１に入力され、選択されている検査依頼情報と関連付けてデータベースＤＢに登録される。
【００６９】
また、検索結果表示領域３０２において１つの検査依頼情報が選択された状態で、ランチャーバー２０１の問診前処置アイコン２０２ｂ、画像表示アイコン２０２ｃ、レポートアイコン２０２ｄ、病理依頼アイコン２０２ｅ、又は実施報告アイコン２０２ｆのいずれかがクリックされると、クリックされたアイコンに応じた機能画面に遷移し、遷移先の画面上で、選択された検査依頼情報の検査に付随する各種業務に関する情報の照会及び編集、並びに登録が行われる。
【００７０】
次に、問診前処置機能実行時の画面表示の一例を図１１、図１２に示した。図１１、図１２に示す問診前処置画面は、ランチャーバー２０１の問診前処置アイコン２０２ｂがクリックされた際に表示される。この問診前処置画面は、ランチャーバー２０１と、問診前処置情報の入力領域４０１とで大略構成されている。
【００７１】
入力領域４０１には、問診により得られた患者の既往歴等の問診情報を入力するフォームと、前処置で患者に投薬された薬剤等の前処置情報を入力するフォームとが択一的に表示される。表示されるフォームの切り替えは、その領域の上部に設けられているタブ４０２、４０３の選択によりなされる。
【００７２】
図１１は、入力領域４０１に問診のフォームが表示されている状態を示す。フォームの各欄に入力された問診情報は、保存ボタン４０４がクリックされると、選択されている検査依頼情報に関連付けてデータベースＤＢに登録される。また、選択されている検査依頼情報に関連付けてデータベースＤＢに問診情報が記録されている場合には、その問診情報がフォームの各欄に表示される。
【００７３】
図１２は、入力領域４０１に前処置のフォームが表示されている状態を示す。フォームの各欄に入力された前処置情報は、保存ボタン４０５がクリックされると、選択されている検査依頼情報に関連付けてデータベースＤＢに登録される。また、選択されている検査依頼情報に関連付けてデータベースＤＢに前処置情報が記録されている場合には、その前処置情報がフォームの各欄に表示される。
【００７４】
画像表示機能実行時の画面表示の一例を図１３、図１４に示した。図１３に示す画像表示画面は、ランチャーバー２０１の画像表示アイコン２０２ｃがクリックされた際に表示される。この画像表示画面は、ランチャーバー２０１と、画像表示領域５０１と、画像設定領域５０２と、出力設定領域５０３とで大略構成されている。
【００７５】
画像表示領域５０１には、内視鏡装置２４（図２参照）により撮影され、個々の検査依頼情報に関連付けてＰＡＣＳ４０（図１参照）に保管されている画像情報のうち、選択されている検査依頼情報に関連付けられている画像情報が画像として表示される。図１３の表示例において、画像表示領域５０１には、複数の画像情報がサムネイル画像で一覧表示されると共に、それらのうちから選択された画像情報がサムネイル画像より大きいサイズの画像で表示されている。
【００７６】
画像設定領域５０２には、画像表示領域５０１における画像の表示方法を設定するボタンが表示されている。表示方法としては、図１４に示すように複数の選択画像を図１３の例より縮小して多数並べて表示する方法などが例示できる。また、画像設定領域５０２には、選択画像に対するマーキングや、アノテーションを行うボタンが表示されている。マーキングは、その画像が特定の症例に該当することを分かりやすくするための所定のマークを付加するものである。また、アノテーションは、任意のコメントや図形などを描画するものである。マーキングにより付加されたマークやアノテーションにより描画されたコメント等は、それらが付加、描画された画像の画像情報と共にＰＡＣＳ４０に保管される。出力設定領域５０３には、選択画像に対して印刷等の出力処理を設定するボタン等が表示されている。
【００７７】
次に、レポート登録機能実行時の画面表示の一例を図１５に示した。図１５に示すレポート登録画面は、ランチャーバー２０１のレポートアイコン２０２ｄがクリックされた際に表示される。このレポート登録画面は、ランチャーバー２０１と、レポート情報入力領域６０１と、添付情報設定領域６０２とで大略構成されている。
【００７８】
レポート情報入力領域６０１には、検査の所見、診断等のレポート情報を入力するフォームが表示されている。フォームの各欄に入力されたレポート情報は、確定ボタン６０３がクリックされると、選択されている検査依頼情報に関連付けてデータベースＤＢに登録される。
【００７９】
添付情報設定領域６０２には、内視鏡装置２４により撮影された画像情報などのレポートに添付する情報が表示される。画像情報は、選択されている検査依頼情報に関連付けてＰＡＣＳ４０に保管されており、上述の画像表示画面（図１３参照）において予め選択された画像情報が添付される。
【００８０】
選択されている検査依頼情報に関連付けてデータベースＤＢにレポート情報が記録されている場合には、そのレポート情報がレポート情報入力領域６０１のフォームの各欄に表示され、また、レポートに添付されている画像情報等の情報が添付情報設定領域６０２に表示される。
【００８１】
病理依頼機能実行時の画面表示の一例を図１６に示した。図１６に示す病理依頼画面は、ランチャーバー２０１の病理依頼アイコン２０２ｅがクリックされた際に表示される。この病理依頼画面は、ランチャーバー２０１と、病理依頼情報入力領域７０１と、プレビュー領域７０２とで大略構成されている。
【００８２】
病理依頼情報入力領域７０１には、病理検査の依頼情報を入力するフォームが表示されている。フォームの各欄に入力された病理依頼情報は、病理依頼ボタン７０３がクリックされると、選択されている検査依頼情報に関連付けてデータベースＤＢに登録され、また、院内ＬＡＮ６０（図１参照）を介して病理部門システム３０（図１参照）に送信される。選択されている検査依頼情報に関連付けてデータベースＤＢに病理依頼情報が記録されている場合には、その病理依頼情報が病理依頼情報入力領域７０１のフォームの各欄に表示される。
【００８３】
プレビュー領域７０２には、病理依頼情報入力領域７０１のフォームに入力された病理依頼情報に基づき作成される病理依頼書のプレビューが表示される。
【００８４】
次に、実施報告機能実行時の画面表示の一例を図１７に示した。図１７に示す実施報告画面は、ランチャーバー２０１の実施報告アイコン２０２ｆがクリックされた際に表示される。この実施報告画面は、ランチャーバー２０１と、手技や薬剤・材料の選択領域８０１と、実施情報入力領域８０２とで大略構成されている。
【００８５】
選択領域８０１には、検査の手技、薬剤、処置具などの材料、等が一覧で表示される。これらのうちから、検査で実際に行われた手技、前処置や検査で使用された薬剤及び材料が選択される。
【００８６】
本実施形態のシステムにおいては、前述のように図５に示すような内容が実施報告画面上に表示され、図６に示すような処理が実施される。従って、検査部位（上部消化管、下部消化管、気管支）の選択に伴って表示される選択候補（「上部内視鏡検査セット」などの一覧）の中から、実施セットや手技を入力者が指定することにより、該当する薬剤、処置具などの材料等の一覧が入力候補としてデータベース（２１ｂ）から抽出され一覧表示される。このため薬剤、処置具などの材料等の情報を容易に入力することができ、入力漏れや誤入力の発生を防止できる。
【００８７】
実施情報入力領域８０２には、選択領域８０１で選択された手技、薬剤及び材料が表示される。実施情報入力領域８０２に表示される実施情報は、登録ボタン８０３がクリックされると、選択されている検査依頼情報に関連付けてデータベースＤＢに登録される。ここで登録された実施情報に基づいて会計処理がなされる。選択されている検査依頼情報に関連付けてデータベースＤＢに実施情報が記録されている場合には、その実施情報が実施情報入力領域８０２のフォームの各欄に表示される。
【００８８】
次に、ログアウト機能実行時の画面表示の一例を図１８に示した。図１８に示すログアウト画面は、上述のオーダ検索画面において、その下部領域に表示されているログアウトボタン９０１がクリックされた際に表示される。このログアウト画面には、ログアウトボタン９０２に加えて、離席ボタン９０３及びユーザ切替ボタン９０４が表示される。離席ボタン９０３がクリックされると、画面全体に図５に示すログイン画面が表示され、それまで画面に表示されていた情報が隠されると共に他人による操作が防止される。ユーザ切替ボタン９０４がクリックされると、図８に示すログイン画面に戻ることなくログインユーザの切り替えがなされる。
【００８９】
以上、本発明は上記の実施形態に限定されるものではなく、明細書の記載、並びに周知の技術に基づいて、当業者が変更、応用することも本発明の予定するところであり、保護を求める範囲に含まれる。
【００９０】
上記の通り、本明細書には下記事項が開示されている。
（１）  検査に使用される薬剤や医療材料を含む検査使用物品に関する情報を、患者の検査毎に生成される個別検査情報として入力する際の入力支援を行う医療情報入力支援システムであって、
前記検査使用物品の薬剤や医療材料が複数登録され、検査対象部位及び検査種別の少なくとも一方と予め関連付けられた状態で前記検査使用物品が管理されている検査使用物品データベースと、
患者に施す検査に対し、該当する検査対象部位及び検査種別の少なくとも一方の情報に基づき、使用する検査使用物品の候補を前記検査使用物品データベースを参照して抽出する使用物品抽出手段と、
前記使用物品抽出手段により抽出された検査使用物品の情報をリストとして一覧表示する表示手段と、
前記表示手段に一覧表示された検査使用物品の候補の少なくとも一部を前記個別検査情報として登録するための指示を入力する入力手段と、
を備えた。
【００９１】
この医療情報入力支援システムによれば、前記個別検査情報を登録するための入力操作が簡単になり、しかも薬剤等の登録漏れや誤入力の発生を抑制できる。即ち、前記個別検査情報として登録（入力）すべき検査使用物品が、検査対象部位や検査種別と予め関連付けられた状態で管理されているので、検査対象部位や検査種別を特定するだけで、入力すべき検査使用物品の候補の一覧を表示させることができ簡単な入力操作だけで登録を完了できる。なお、検査対象部位の代表例としては、上部消化管（食道や胃）、下部消化管（直腸や大腸）、気管支の区別が考えられる。
【００９２】
（２）  （１）の医療情報入力支援システムであって、
前記検査使用物品データベースは、登録内容に最新の情報を逐次追加するための登録情報更新手段を含み、
前記使用物品抽出手段は、使用する検査使用物品の候補を抽出する際に、前記患者に施す検査の条件に適合する検査使用物品を、前記検査使用物品データベース上で検索して抽出する。
【００９３】
この医療情報入力支援システムによれば、利用可能な新たな薬剤等が前記検査使用物品データベースに追加された場合には、追加された新たな薬剤等の検査使用物品についても、入力すべき検査使用物品の候補に含めて表示させることができる。
【００９４】
（３）  （１）の医療情報入力支援システムであって、
検査対象部位及び検査種別が特定された複数の検査内容のそれぞれについて、該当する検査で使用する前記検査使用物品の組み合わせが前記検査使用物品データベースに予め登録され、
前記使用物品抽出手段は、複数の検査内容の中で、指定された特定の検査内容に対応する前記検査使用物品の組み合わせを前記検査使用物品データベースから選択的に抽出する。
【００９５】
この医療情報入力支援システムによれば、検査内容の区分を指定するだけで、該当する検査使用物品の組み合わせが一覧表示されるので、簡単な選択操作だけでデータ入力を完了できる。検査内容の区分の代表例としては、上部消化管検査、下部消化管検査、気管支検査などが想定される。
【００９６】
（４）  （１）〜（３）のいずれか１つの医療情報入力支援システムであって、
前記検査使用物品データベースは、前記検査使用物品として、それぞれの検査において常時使用される検査使用物品である常時使用物品の情報と、それぞれの検査において使用の有無が択一的に決定される検査使用物品である選択使用物品の情報とをそれぞれ保持し、
前記表示手段は、前記選択使用物品と前記常時使用物品とを区別した状態で表示し、
前記入力手段は、前記選択使用物品の使用の有無を択一的に前記個別検査情報に登録するための選定機能を有する。
【００９７】
この医療情報入力支援システムによれば、種々の状況下で生じるオプション的な検査に対しても、実際の検査使用物品のデータを簡単に入力することができる。オプション的な検査の代表例としては、組織の採取、異物除去、組織の切除、剥離などの手技が想定される。
【００９８】
（５）  （１）〜（４）のいずれか１つの医療情報入力支援システムであって、
前記検査使用物品データベースは、各検査の検査対象部位及び検査種別の少なくとも一方について、大分類及び前記大分類よりも細分化した小分類のそれぞれの分類に属する検査項目について前記検査使用物品を管理し、前記小分類として管理される小分類検査項目毎に前記検査使用物品の組み合わせを定めた詳細実施セット情報を有し、
前記表示手段は、前記大分類から前記小分類までの各検査項目を階層的に表示し、かつ、前記入力手段により指定された小分類の検査項目に対する検査使用物品をリスト表示する機能を有する。
【００９９】
この医療情報入力支援システムによれば、検査内容を小分類に分類して、各小分類毎に検査使用物品を登録することで、登録作業を簡単化できる。例えば、検査内容のうち検査部位の大分類の代表例としては、「下部消化管」や「上部消化管」が想定される。また、「下部消化管」の大分類に属する小分類としては、「直腸」、「大腸」、「小腸」が想定され、「上部消化管」の大分類に属する小分類としては、「食道」、「胃」、「十二指腸」が想定される。
【０１００】
（６）  検査に使用される薬剤や医療材料を含む検査使用物品に関する情報を、患者の検査毎に生成される個別検査情報として入力する際の入力支援を行う医療情報入力支援方法であって、
前記検査使用物品の薬剤や医療材料が複数登録され、検査対象部位及び検査種別の少なくとも一方と予め関連付けられた状態で前記検査使用物品が管理されている検査使用物品データベースを利用し、
患者に施す検査に対し、該当する検査対象部位及び検査種別の少なくとも一方の情報に基づき、使用する検査使用物品の候補を前記検査使用物品データベースを参照して抽出し、
前記検査使用物品データベースから抽出された検査使用物品の情報をリストとして一覧表示し、
一覧表示された検査使用物品の候補の少なくとも一部を、入力された指示に従って、前記個別検査情報として登録する。
【０１０１】
この医療情報入力支援方法によれば、前記個別検査情報を登録するための入力操作が簡単になり、しかも薬剤等の登録漏れや誤入力の発生を抑制できる。即ち、前記個別検査情報として登録（入力）すべき検査使用物品が、検査対象部位や検査種別と予め関連付けられた状態で管理されているので、検査対象部位や検査種別を特定するだけで、入力すべき検査使用物品の候補の一覧を表示させることができ簡単な入力操作だけで登録を完了できる。
【０１０２】
（７）  検査に使用される薬剤や医療材料を含む検査使用物品に関する情報を、患者の検査毎に生成される個別検査情報として入力する際の入力支援を行う医療情報入力支援システムを制御するコンピュータが実行可能な医療情報入力支援プログラムであって、
前記検査使用物品の薬剤や医療材料が複数登録され、検査対象部位及び検査種別の少なくとも一方と予め関連付けられた状態で前記検査使用物品が管理されている検査使用物品データベースにアクセスするためのステップと、
患者に施す検査に対し、該当する検査対象部位及び検査種別の少なくとも一方の情報に基づき、使用する検査使用物品の候補を前記検査使用物品データベースを参照して抽出する使用物品抽出ステップと、
前記検査使用物品データベースから抽出された検査使用物品の情報をリストとして一覧表示する表示ステップと、
一覧表示された検査使用物品の候補の少なくとも一部を前記個別検査情報として登録するための指示を入力する入力ステップと、
を備える。
【０１０３】
この医療情報入力支援プログラムを医療情報入力支援システムを制御するコンピュータで実行することにより、前記個別検査情報を登録するための入力操作が簡単になり、しかも薬剤等の登録漏れや誤入力の発生を抑制できる。即ち、前記個別検査情報として登録（入力）すべき検査使用物品が、検査対象部位や検査種別と予め関連付けられた状態で管理されているので、検査対象部位や検査種別を特定するだけで、入力すべき検査使用物品の候補の一覧を表示させることができ簡単な入力操作だけで登録を完了できる。
【符号の説明】
【０１０４】
１０  病院情報システム（ＨＩＳ）
２０  内視鏡部門システム
２１  内視鏡部門サーバ
２１ａ  医薬品ＤＢ
２１ｂ  手技・実施セットＤＢ
２１ｃ  検査依頼情報ＤＢ
２２  クライアントＰＣ
２２ａ  入力部
２２ｂ  表示部
２２ｃ  記憶部
２２ｄ  通信部
２２ｅ  制御部
３０  病理部門システム
４０  医用画像保管システム
５０  他部門システム
６０  ＬＡＮ
【図１】
2011076465.tif 000003
【図２】
2011076465.tif 000004
【図３】
2011076465.tif 000005
【図４】
2011076465.tif 000006
【図５】
2011076465.tif 000007
【図６】
2011076465.tif 000008
【図７】
2011076465.tif 000009
【図８】
2011076465.tif 000010
【図９】
2011076465.tif 000011
【図１０】
2011076465.tif 000012
【図１１】
2011076465.tif 000013
【図１２】
2011076465.tif 000014
【図１３】
2011076465.tif 000015
【図１４】
2011076465.tif 000016
【図１５】
2011076465.tif 000017
【図１６】
2011076465.tif 000018
【図１７】
2011076465.tif 000019
【図１８】
2011076465.tif 000020